(57)【特許請求の範囲】
【請求項１】
画像データを複数のグループのいずれかに対応付けて記憶する記憶手段と、
原稿を読み取る読取手段と、
前記読取手段により読み取られた原稿の画像データから前記複数のグループのいずれかを示す付加情報を抽出する抽出手段と、
前記抽出手段により抽出された付加情報により示されるグループを前記複数のグループの中から特定する特定手段と、
前記特定手段により特定されたグループに対応付けて前記記憶手段に記憶されている画像データの一覧を表示させる表示手段とを備え、
前記付加情報は、前記画像データの一覧を表示する際の手順に関する手順情報を含み、
前記表示手段は、前記手順情報に基づく手順で前記画像データの一覧を表示することを特徴とする画像処理装置。
【請求項２】
前記付加情報を原稿に付加して画像データを生成する生成手段を更に備えることを特徴とする請求項１に記載の画像処理装置。
【請求項３】
前記記憶手段は、前記読取手段により読み取られた原稿の画像データを前記特定手段により特定されたグループに対応付けて記憶することを特徴とする請求項１又は２に記載の画像処理装置。
【請求項４】
前記表示手段により表示された画像データの一覧の中から出力すべき画像データを選択する選択手段と、
前記選択手段により選択された画像データを出力する出力手段とを更に備えることを特徴とする請求項１乃至３のいずれか１項に記載の画像処理装置。
【請求項５】
前記手順情報は、認証用のパスワードと、認証実行のタイミングを示す情報を含むことを特徴とする請求項１乃至４のいずれか１項に記載の画像処理装置。
【請求項６】
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程とを有し、
前記付加情報は、前記画像データの一覧を表示する際の手順に関する手順情報を含み、
前記表示工程は、前記手順情報に基づく手順で前記画像データの一覧を表示することを特徴とする画像処理方法。
【請求項７】
コンピュータに、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程であって、前記付加情報に含まれている前記画像データの一覧を表示する際の手順に関する手順情報に基づく手順で前記画像データの一覧を表示する表示工程とを実行させるためのプログラム。
【請求項８】
画像データを複数のグループのいずれかに対応付けて記憶する記憶手段と、
原稿を読み取る読取手段と、
前記読取手段により読み取られた原稿の画像データから前記複数のグループのいずれかを示す付加情報を抽出する抽出手段と、
前記抽出手段により抽出された付加情報により示されるグループを前記複数のグループの中から特定する特定手段と、
前記特定手段により特定されたグループに対応付けて前記記憶手段に記憶されている画像データの一覧を表示させる表示手段とを備え、
前記付加情報は、前記画像データの一覧を表示する際の表示形態を特定する表示形態情報を含み、
前記表示手段は、前記表示形態情報に基づく表示形態で前記画像データの一覧を表示することを特徴とする画像処理装置。
【請求項９】
前記付加情報を原稿に付加して画像データを生成する生成手段を更に備えることを特徴とする請求項８に記載の画像処理装置。
【請求項１０】
前記記憶手段は、前記読取手段により読み取られた原稿の画像データを前記特定手段により特定されたグループに対応付けて記憶することを特徴とする請求項８又は９に記載の画像処理装置。
【請求項１１】
前記表示手段により表示された画像データの一覧の中から出力すべき画像データを選択する選択手段と、
前記選択手段により選択された画像データを出力する出力手段とを更に備えることを特徴とする請求項８乃至１０の何れか１項に記載の画像処理装置。
【請求項１２】
前記表示形態情報は、サムネイル、タイトルリスト、プレビュースライドショーの何れかを示すことを特徴とする請求項８に記載の画像処理装置。
【請求項１３】
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程とを有し、
前記付加情報は、前記画像データの一覧を表示する際の表示形態を特定する表示形態情報を含み、
前記表示工程は、前記表示形態情報に基づく表示形態で前記画像データの一覧を表示することを特徴とする画像処理方法。
【請求項１４】
コンピュータに、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程であって、前記付加情報に含まれている前記画像データの一覧を表示する際の表示形態を特定する表示形態情報で前記画像データの一覧を表示する表示工程とを実行させるためのプログラム。
【発明の詳細な説明】
【技術分野】
【０００１】
本発明は、原稿を読み込んで得られた原稿画像を格納し、格納された原稿画像のうち指定された画像を印刷出力可能とするデータ管理技術に関するものである。
【背景技術】
【０００２】
従来より、原稿を読込んで得られた画像データを蓄積する画像形成装置が知られている。この種の画像形成装置においては、文書ファイルを保存する記憶システムの大容量化により、非常に多数の文書ファイルを登録しておくことが可能になった。この場合、一つのボックス（或はフォルダ）に多くの文書を登録しておくよりも、作成者やプロジェクト毎にボックスを作成して、グループ化して文書を登録しておいた方が管理が容易であり、実際、そのように運用されている。また、記憶装置をネットワークで接続することにより、一装置内に止まらず、複数の装置の複数のボックスに文書ファイルが登録されるようになってきている。
【０００３】
例えば、１つの会議に関連する複数の文書ファイル等は、１つのボックスに登録しておけば、それらを印刷出力したいような場合に、文書指定が容易になり、便利である。しかしながら、多数のボックスが存在すると、所望のボックスを選択するために、或は、階層構造を有するボックス構成において下位階層のボックスを選択するために、ユーザインターフェースにおいて煩雑な画面遷移が必要となってしまう。このように、所望のボックスに文書ファイルを追加する、また、所望のボックス内の文書ファイルを取得する処理では、それぞれ所望するボックスを探し、特定するという作業が必要になるため、画面遷移を伴う面倒な操作が必要であった。
【０００４】
このような煩雑な画面遷移に対するユーザの負担を軽減するために、従来は、画像形成装置内にボックスのショートカットを設定したり、使用したボックスの履歴情報を画像形成装置内に格納してアクセスしやすくするといった対策が講じられていた。
【０００５】
また、特許文献１には、読み取った原稿のイメージデータにベクトルか処理を実行して登録しておくシステムが開示されている。特許文献１のステムによれば、読み取った原稿のイメージデータに基づいて、当該文書に対応するオリジナルの文書ファイルを登録された文書ファイルから特定し、その文書ファイルを印刷する。こうして、印刷の繰り返し等に起因する画質の劣化を防止する。特許文献１のシステムでは、読み取った原稿のイメージから当該原稿のオリジナルのファイルを特定するものであり、ユーザによる原稿特定の操作の負担を軽減するものであるといえる。
【特許文献１】特開２００４−２６５３８４号公報
【発明の開示】
【発明が解決しようとする課題】
【０００６】
上述した従来の技術において、所望のボックスへ到達するためのショートカットの設定は、ユーザ操作の軽減に有効な手段ではあるが、文書処理装置内に作成できるショートカットの数には制限がある。また、ショートカットの数が増えると、今度はユーザがショートカットを探す手間が増えてしまう。また、履歴を利用した方法においても、ユーザは様々な履歴の中に格納されたボックスの情報を探す煩雑さがあるという課題が残されている。
【０００７】
また、特許文献１は、読み取った原稿のイメージデータから登録されている文書ファイルを特定することにより、登録された文書ファイルへのアクセスを自動化したものであるといえる。しかしながら、読み取った原稿と登録されている文書との１対１の対応に止まり、複数の文書ファイルを取得可能とするものではない。
【０００８】
本発明は、上記の課題に鑑みてなされたものであり、関連する複数の原稿データを容易に取得可能とすることを目的とする。
【課題を解決するための手段】
【０００９】
上記の目的を達成するための本発明の一態様による画像処理装置は以下の構成を備える。即ち、
画像データを複数のグループのいずれかに対応付けて記憶する記憶手段と、
原稿を読み取る読取手段と、
前記読取手段により読み取られた原稿の画像データから前記複数のグループのいずれかを示す付加情報を抽出する抽出手段と、
前記抽出手段により抽出された付加情報により示されるグループを前記複数のグループの中から特定する特定手段と、
前記特定手段により特定されたグループに対応付けて前記記憶手段に記憶されている画像データの一覧を表示させる表示手段とを備え、
前記付加情報は、前記画像データの一覧を表示する際の手順に関する手順情報を含み、
前記表示手段は、前記手順情報に基づく手順で前記画像データの一覧を表示する。
また、本発明の他の態様による画像処理装置は以下の構成を備える。即ち、
画像データを複数のグループのいずれかに対応付けて記憶する記憶手段と、
原稿を読み取る読取手段と、
前記読取手段により読み取られた原稿の画像データから前記複数のグループのいずれかを示す付加情報を抽出する抽出手段と、
前記抽出手段により抽出された付加情報により示されるグループを前記複数のグループの中から特定する特定手段と、
前記特定手段により特定されたグループに対応付けて前記記憶手段に記憶されている画像データの一覧を表示させる表示手段とを備え、
前記付加情報は、前記画像データの一覧を表示する際の表示形態を特定する表示形態情報を含み、
前記表示手段は、前記表示形態情報に基づく表示形態で前記画像データの一覧を表示する。
【００１０】
また、上記の目的を達成するための本発明の一態様による画像処理方法は、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程とを有し、
前記付加情報は、前記画像データの一覧を表示する際の手順に関する手順情報を含み、
前記表示工程は、前記手順情報に基づく手順で前記画像データの一覧を表示する。
更に、本発明の他の態様による画像処理方法は以下の構成を備える。即ち、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程とを有し、
前記付加情報は、前記画像データの一覧を表示する際の表示形態を特定する表示形態情報を含み、
前記表示工程は、前記表示形態情報に基づく表示形態で前記画像データの一覧を表示する。
【００１１】
更に、上記の目的を達成するための本発明の一態様によれば、
コンピュータに、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程であって、前記付加情報に含まれている前記画像データの一覧を表示する際の手順に関する手順情報に基づく手順で前記画像データの一覧を表示する表示工程とを実行させるプログラムが提供される。
更に、本発明の他の態様によれば、
コンピュータに、
画像データを複数のグループのいずれかに対応付けて記憶手段に記憶する記憶工程と、
原稿を読み取る読取工程と、
前記読取工程により読み取られた原稿の画像データから前記複数のグループのいずれかを示す付加情報を抽出する抽出工程と、
前記抽出工程により抽出された付加情報により示されるグループを前記複数のグループの中から特定する特定工程と、
前記特定工程により特定されたグループに対応付けて前記記憶手段に記憶されている画像データの一覧を表示させる表示工程であって、前記付加情報に含まれている前記画像データの一覧を表示する際の表示形態を特定する表示形態情報で前記画像データの一覧を表示する表示工程とを実行させるプログラムが提供される。
【発明の効果】
【００１２】
本発明によれば、関連する原稿データを容易に取得することが可能となる。
【発明を実施するための最良の形態】
【００１３】
以下、本発明の実施の形態について図面を参照しながら本発明の好適な実施形態について説明する。
【００１４】
［第１実施形態］
＜画像形成装置の全体構成＞
図１は、本実施形態による画像形成装置１の構成を示すブロック図である。図１に示すように、画像形成装置１はコントローラユニット１００を備える。コントローラユニット１００は、画像入力デバイスであるスキャナ１７０および画像出力デバイスであるプリンタ１９５を接続するとともに、ＬＡＮ１１１や公衆回線（ＷＡＮ）１５１と接続し、画像情報やデバイス情報の入出力を行う。コントローラ１００は、画像の入力形態や出力形態に応じて各種画像処理を実行する画像処理装置として機能している。
【００１５】
コントローラユニット１００は、装置全体を制御するためのＣＰＵ１０１と、ＣＰＵ１０１の作業領域を提供すると共に画像データを一時格納するＲＡＭ１０２と、ブートプログラム等を格納するＲＯ１０３を有する。また、コントローラユニット１００は、システムプログラムなどのアプリケーションプログラム、文書データを格納するＨＤＤ（ハードディスク装置）１０４を有する。
【００１６】
ＣＰＵ１０１には、ＲＯＭ１０３、ＲＡＭ１０２、ＨＤＤ１０４とともに、システムバス１０７を介してＶＲＡＭ１０５、操作部Ｉ／Ｆ１０６、イメージバス１０９、ネットワークＩ／Ｆ１１０およびモデム１５０が接続されている。ＶＲＡＭ１０５は、ＣＰＵ１０１により生成された、操作部１１２の表示器に表示されるべき操作部表示画像を記憶するメモリである。操作部Ｉ／Ｆ１０６は、操作部（ＵＩ）１１２とのインターフェースであり、ＶＲＡＭ１０５に記憶された操作部表示画像のデータを操作部１１２に出力する。また、操作部Ｉ／Ｆ１０６は、操作部１１２を用いてユーザが入力した情報をＣＰＵ１０１に渡す。ネットワークＩ／Ｆ１１０は、ＬＡＮ１１１と接続され、ＬＡＮ１１１を介した情報の入出力を行う。モデム１５０は、公衆回線１５１と接続し、公衆回線１５１を介した情報の入出力を行う。
【００１７】
イメージバスＩ／Ｆ１０９は、システムバス１０７と画像データを高速で転送する画像バス１０８とを接続し、データ構造を変換するバスブリッジである。画像バス１０８は、例えば、ＰＣＩバスまたはIEEE1394で構成される。画像バス１０８には、ラスターイメージプロセッサ（ＲＩＰ）１６０、デバイスＩ／Ｆ１２０、スキャナ画像処理部１８０、プリンタ画像処理部１９０、画像回転部１３０、および画像圧縮部１４０が接続されている。
【００１８】
ラスターイメージプロセッサ（ＲＩＰ）１６０は、ＰＤＬコードをビットマップイメージに展開する。デバイスＩ／Ｆ１２０は、画像入出力デバイスであるスキャナ１７０およびプリンタ１９５とコントローラユニット１００とを接続するインターフェースであって、画像データの同期系／非同期系の変換を行う。デバイスＩ／Ｆ１２０とスキャナ１７０とは、スキャナインタフェース１７１を介して接続され、デバイスＩ／Ｆ１２０とプリンタ１９５とは、プリンタインタフェース１９６を介して接続される。スキャナ画像処理部１８０は、入力画像データに対し補正、加工、編集を行う。プリンタ画像処理部１９０は、プリント出力画像データに対して、プリンタの補正、解像度変換などを行う。画像回転部１３０は画像データの回転を行う。画像圧縮部１４０は、多値画像データをＪＰＥＧ、２値画像データをＪＢＩＧ、ＭＭＲ、ＭＨなどで圧縮したり、圧縮画像データを伸張したりする。
【００１９】
上記の画像形成装置１において、ＨＤＤ１０４には、複数のボックスを設定可能である。ボックスは、複数の文書データを格納するための格納場所であり、ボックスの中に更にボックスを設定するといったような階層構造とすることもできる。
【００２０】
＜情報付加機能の構成＞
図２は、コントローラユニット１００内にある情報付加機能の構成を示すブロック図である。尚、本実施形態において、ボックスアクセス情報生成部２２は、ＣＰＵ１０１が所定の制御プログラムを実行することにより実現される。また、本実施形態では、情報付加部２３はプリンタ画像処理部１９０の一機能として提供されるものとする。但し、これらの機能分担は、本実施形態の態様に限られるものではない。
【００２１】
スキャナ画像処理部１８０は、スキャナ１７０より送られてきた画像に対し、補正等の処理を加え、プリンタ画像処理部１９０の情報付加部２３へ送信する。ボックスアクセス情報生成部２２は、ＨＤＤ１０４に保存されたボックスの存在場所（ボックス番号等）を示すためのボックスアクセス情報（バーコード、ＵＲＬ、電子透かし情報等）を生成する機能を有する。情報付加部２３は、スキャナ画像処理部１９０からの画像情報に対して、ボックスアクセス情報生成部２２からのボックスアクセス情報を付加する機能を有する。こうして、ボックスアクセス情報が埋め込まれた原稿画像情報が生成され、プリンタ１９５によりボックスアクセス情報が埋め込まれた原稿画像が印刷出力される。尚、原稿画像に埋め込まれたボックスアクセス情報は、スキャナ１７０にて画像を読み取った際に、ＣＰＵ１０１により認識可能に埋め込まれている。
【００２２】
＜本実施形態の特徴を成す動作＞
次に、操作部１１２の構成について図３および図４を参照しながら説明する。図３は図１の画像形成装置１における操作部１１２の外観構成を示す図である。図４は図１の画像形成装置１における操作部１１２及び操作部Ｉ／Ｆ１０６の制御構成を示すブロック図である。
【００２３】
操作部１１２は、図３に示すように、タッチパネル２０１が画面上に貼付されたＬＣＤ表示部２０２を有する。ＬＣＤ表示部２０２は、ＶＲＡＭ１０５に記憶された操作部表示画像を表示することにより、システムの操作画面およびソフトキーを提供する。タッチパネル２０１は、ユーザによって押された位置を示す位置情報ＣＰＵ１０１に伝える。ＣＰＵ１０１は、ソフトキー等の表示位置とタッチパネル２０１からの位置情報により、ユーザが指示した操作内容を判断する。また、操作部１１２には、各種ハードキー２０３〜２１３が設けられている。ハードキーは、例えば、スタートキー２０３、ストップキー２０４、リセットキー２０５、テンキー群２０６、クリアキー２０７、ＩＤキー２０８、ガイドキー２０９、ユーザモードキー２１０、カウンタキー２１１、節電キー２１２、電源キー２１３を含む。
【００２４】
スタートキー２０３は、原稿画像の読取り動作を開始するときなどに用いるキーであり、スタートキー２０３の中央部には、緑と赤の２色ＬＥＤ２１５が設けられ、その色によってスタートキー２０３が有効な状態にあるかどうかを示す。ストップキー２０４は、稼働中の動作を止める働きをする。リセットキー２０５は、操作部１１２の設定を初期化するときに用いられる。テンキー群２０６は、数値の入力を行う際に用いられ、０〜９までの数字キーを含む。クリアキー２０７は、入力された数値をクリアする際に用いられる。ＩＤキー２０８は、ユーザＩＤを入力する際に用いられるキーである。ガイドキー２０９は、設定や入力方法についてのヘルプを表示するためのキーである。ユーザモードキー２１０は、装置の動作に関する特殊な設定や詳細な設定を行うためのキーである。カウンタキー２１１は、装置がプリントした用紙の枚数を確認するためのキーである。節電キー２１２は、装置を待機状態にし、消費電力を抑えたいときに用いられるキーである。電源キー２１３は、装置の電源をオンまたはオフするためのキーである。
【００２５】
また、装置が動作中であるときおよび装置に何らかの異常が生じたときに、それぞれ点滅あるいは点灯するタリーランプ２１６，２１７が設けられている。また、電源ランプ２１８が設けられ、電源ランプ２１８は、電源キー２１３によって装置の電源がオンされたときに点灯する。
【００２６】
操作部Ｉ／Ｆ１０６は、図４に示すように、入力デバイスコントローラ３０１及び出力デバイスコントローラ３０２を有する。入力デバイスコントローラ３０１は、操作部１１２のタッチパネル２０１、キー群２２０（ハードキー２０３〜２１３）から、ユーザ入力を受け取り、この受け取ったユーザ入力を操作内容としてＣＰＵ１０１に渡す。ＣＰＵ１０１は、入力された操作内容とＨＤＤ１０４からＲＡＭ１０２にロードされた制御プログラムに基づき、操作部表示画像のための表示画面データを生成する。生成された表示画面データは、ＶＲＡＭ１０５に一旦記憶された後に操作部Ｉ／Ｆ１０６の出力デバイスコントローラ３０２を介してＬＣＤ２０２に出力される。また、ＣＰＵ１０１は、ユーザからの入力や装置の状態から、制御プログラムに従い、出力デバイスコントローラ３０２に制御信号を与える。出力デバイスコントローラ３０２は、この制御信号に従って、ＬＥＤ群２１５〜２１８をそれぞれ点灯、消灯させる。
【００２７】
＜ユーザインターフェースの例＞
図５はＬＣＤ表示器２０２に表示される送信初期画面５００を示す図であり、元原稿をボックスに関連付ける操作の入り口となる画面の一例である。ボックス関連付けキー５０１は、これから読み取る元原稿を新しいボックスに関連付けるための画面に遷移するキーである。ボックス関連付けキー５０１を押下すると、図６に示すボックス関連付け画面６００に遷移する。
【００２８】
図６は、元原稿をボックスに関連付ける設定をするための、ＬＣＤ表示器２０２に表示されるボックス関連付け画面の一例を示す図である。ボックス関連付け画面６００において、ＯＮ／ＯＦＦキー６０１は、元原稿を新しいボックスに関連付けるか否かを設定するキーである。ＯＮにすると、新しいボックスに関連付けする設定となり、ＯＦＦにすると新しいボックスへの関連付けを行わない設定となる。ＯＫキー６０２が押下されると、ＯＮ／ＯＦＦキー６０１による設定を反映して、図５の送信初期画面５００に遷移する。キャンセルキー６０３が押下されると、ＯＮ／ＯＦＦキー６０１の設定をせずに送信初期画面５００に戻る。
【００２９】
図７は元原稿の関連付け完了画面７００で、元原稿が新しいボックスに関連づいたことを示す、ＬＣＤ表示器２０２に表示される画面の一例である。ＯＫキー７０１を押下すると、図５の送信初期画面５００に遷移する。本実施形態の画像形成装置１は、例えば１００個のボックスが用意されており、各ボックスには予め０〜９９まで番号が振られているものとする。新しいボックスへの関連付けは、これらボックスのいずれかが選択されることになる。例えば、未使用のボックス（文書が格納されていない空のボックス）のうち、最も番号の小さいボックスが選択されるようにする。
【００３０】
図８は、ボックス内の文書一覧を示すための、ＬＣＤ表示器２０２に表示される画面の一例を示す図である。画面８００にはボックス内にある文書の一覧が表示される。また、画面８のプリントキー８０１及びスキャンキー８０２を用いて、印刷、読み込みを指示することができる。この画面は、送信初期画面５００においてボックスの付加情報を伴った原稿を読み込み、かつ新しいボックスとの関連付けの設定を行っていない場合に表示される画面である。
【００３１】
尚、図８において、プリントキー８０１が押下されると、画面８００内で選択されている文書の印刷が開始される。また、スキャンキー８０２が押下されると、スキャナ１７０による新たな文書の読み込みと、当該ボックス内への当該文書の追加が実行される。
【００３２】
＜動作の説明＞
図９は、元原稿のスキャン時に、アクセスするボックスの所在を示すバーコード等のボックスアクセス情報を生成し、元原稿の画像情報にボックスアクセス情報を付加して印刷する動作を説明するフローチャートである。尚、図９に示される処理は、ＣＰＵ１０１がＲＡＭ１０２にロードされた制御プログラムを実行することにより実現される。
【００３３】
スキャナ１７０から所望の画像を読み込んで印刷する場合、コントローラユニット１００は、スキャナ１７０から読み込まれた画像を、スキャナインタフェース１７１を介してコントローラユニット１００（スキャナ画像処理部１８０）に取り込む。そして、コントローラユニット１００は、プリンタ画像処理部１９０に対して、プリント要求を発行し、プリント動作を行わせる。尚、この読み取りに先立って、図６の画面６００におけるＯＮ／ＯＦＦスイッチ６０１による新しいボックスへの関連付けがＯＮにセットされているものとする。尚、画面６００への遷移は、上述したように図５の送信初期画面５００においてボックス関連付けボタン５０１を操作するとで実行される。新しいボックスへの関連付けがＯＮにセットされ、図５に示す表示状態において、スタートキー２０３を押すと、図９のフローチャートに示される処理が開始される。
【００３４】
まず、ステップＳ９０１において、プリンタ画像処理部１９０は、スキャナ１７０により読み読み込まれた画像に対し、展開処理や、その他の画像処理を行う。ステップＳ９０２において、ボックスアクセス情報生成部２２は、コントローラユニット１００のＨＤＤ１０４内のボックス（格納場所）を示すボックスアクセス情報を生成する。ボックスアクセス情報は、例えばボックス番号（本例では００〜９９）を示す。生成されたボックスアクセス情報はプリンタ画像処理部１９０内の情報付加部２３へ出力される。ステップＳ９０３において、情報付加部２３は、プリンタ画像処理部１９０から出力された画像に、ボックスアクセス情報生成部２２で生成されたボックスアクセス情報を付加する。ボックスアクセス情報が付加された画像データはプリンタ１９５へ出力され、ステップＳ９０４において、プリンタ１９５はボックスアクセス情報が付加された画像データを印刷出力する。その結果は、元原稿の関連付け完了画面７００に表示される。図７では、印刷出力された（又は印刷出力されている）文書がボックス番号２５に関連付けられたことを通知している。
【００３５】
以上の図９の処理によって得られた、ボックスアクセス情報が埋め込まれた原稿を用いてボックスをアクセスし、そのボックスへスキャナで読み取った原稿後を格納することにより、元原稿に関連原稿を関連付けることができる。また、ボックスアクセス情報が埋め込まれた原稿を用いてボックスをアクセスし、そのボックス内に格納されている文書を指定して印刷やメール送信等の出力を行うことにより、元原稿に関連付けられた文書を容易に選択、出力することができる。尚、ボックスアクセス情報は、バーコードや電子透かし等、装置による読み取りが可能な形態で原稿画像に埋め込まれている。
【００３６】
以上のような、ボックスアクセス情報が付加された元原稿をスキャンして、ボックスへのアクセスを行う処理について図１０のフローチャートを参照して説明する。尚、図１０のフローチャートで示される処理は、ＣＰＵ１０１がＲＡＭ１０２にロードされた所定の制御プログラムを実行することにより実現される。
【００３７】
まず、ステップＳ１００１において、スキャナ画像処理部１８０は、スキャナ１７０から原稿を読み込む。この処理は送信初期画面５００が表示され、新たなボックスに関連付ける設定がなされていない状態で、スタートキー２０３が押された場合に実行される。スキャナ１７０から読み込まれた画像はスキャナインタフェース１７１を介してコントローラユニット１００のスキャナ画像処理部１８０に送られる。次に、ステップＳ１００２において、コントローラユニット１００は、スキャナ画像処理部１８０が読み込んだ元原稿にボックスにアクセスするためのボックスアクセス情報が埋め込まれているかを判定する。ボックスアクセス情報が埋め込まれていない場合はステップＳ１００３へ進み、エラー処理をする。このとき、ボックスアクセス情報が付加されていない旨を提示し、当該原稿を新たなボックスに関連付けるか否かを問い合わせてもよい。
【００３８】
ボックスアクセス情報が埋め込まれている場合は、ステップＳ１００４に進む。ステップＳ１００４において、スキャナ画像処理部１８０は、埋め込まれているボックスアクセス情報からボックスにアクセスするための情報を解読する。次に、ステップＳ１００５において、解読したＨＤＤ１０４内の所定ボックス内の文書をボックス内の文書一覧を表示する（図８の画面８００）。尚、フローチャートには示していないが、ボックスアクセス情報によって指定されるボックスが存在しない場合は、ステップＳ１００３へ進むものとする。
【００３９】
その後、ボックス内の文書一覧を表示する画面８００のスキャンキー８０２が操作されると、処理はステップＳ１００６からステップＳ１００７へ進む。ステップＳ１００７では、追加原稿をスキャナ１７０から読み込み、得られた原稿画像をＨＤＤ１０４内の当該ボックスに格納する。
【００４０】
一方、画面８００の文書一覧から文書が選択され、プリントキー８０１が操作されると、選択された文書の印刷が開始される。即ち、プリントキー８０１の押下により、処理はステップＳ１００６からステップＳ１００８へ進み、画面８００に表示された文書一覧からユーザによって選択された文書をプリンタ１９５を用いて印刷出力する。こうして、ボックスアクセス情報が付加された元原稿から関連原稿を取得（プリント）することができる。尚、ステップＳ１００８の処理は、ファクシミリ送信やメール送信であってもよい。これらの場合、それぞれに対応した操作ボタンが画面８００に表示されることになる。
【００４１】
図１１は上述した画像形成装置１による原稿の関連付け、及び関連付けされた原稿の出力に関わる処理の流れを説明する図である。元原稿である原稿１１０１をスキャナ１７０で読み取り原稿画像を得る。一方、ボックスアクセス情報生成部２２は、ＨＤＤ１０４内の特定のボックス１１０４へアクセスするためのボックスアクセス情報を生成する（Ｓ９０２）。情報付加部２３は、原稿１１０１の原稿画像にボックスアクセス情報生成部２２で生成されたボックスアクセス情報を付加する（Ｓ９０３）。ボックスアクセス情報が付加された原稿画像はプリンタ１９５により印刷出力され、ボックスアクセス情報１１０２ａが埋め込まれた元原稿１１０２が得られる（Ｓ９０４）。尚、ボックスアクセス情報１１０２ａの埋め込み位置は、予め定義しておけばよい。
【００４２】
ボックスアクセス情報１１０２ａが埋め込まれた元原稿１１０２をスキャナ１７０により読み込むと、ユーザＩ／Ｆ制御部１１０３は、ボックスアクセス情報１１０２ａを解析する（Ｓ１００１〜Ｓ１００４）。そして、ユーザＩ／Ｆ制御部１１０３は、ボックスアクセス情報１１０２ａで特定されるボックス１１０４へアクセスする画面（例えば図８の画面）を操作部１１２のＬＣＤ表示部２０２に表示する（Ｓ１００５）。尚、ユーザＩ／Ｆ制御部１１０３はＣＰＵ１０５、操作Ｉ／Ｆ１０６等で構成される。
【００４３】
スキャンボタン８０２が押されると、例えば、原稿１１０５’や原稿１１０６’をスキャナ１７０により読み取って得られた原稿画像データがボックス１１０４に、文書データ１１０５，１１０６として格納される（Ｓ１００６、Ｓ１００７）。一方、プリントボタン８０１が押されると選択された文書の印刷が行われる（Ｓ１００６，Ｓ１００８）。例えば、文書ＢＢＢＢが選択された状態でプリントボタン８０１が押されると、プリンタ１９５によりボックス１１０４に格納された文書データ１１０６がプリンタ１９５により印刷され、原稿１１０６”を得ることができる。
【００４４】
以上のように、第１実施形態によれば、ユーザが、所望のボックスを示すボックスアクセス情報を付加情報として原稿に埋め込むことができる。また、そのような付加情報が埋め込まれた原稿を使用することにより、原稿（文書）を特定のボックスに格納したり、当該特定のボックスから原稿（文書）を取得したりできる。即ち、関連すべき原稿を関連付けたり取得したりできる。これにより、従来、所定のボックスを探す際に必要だった煩雑な画面遷移を省略することができ、ユーザの操作性を大幅に向上させることができる。
【００４５】
［第２実施形態］
第１実施形態ではボックスの関連付けを示す付加情報を埋め込んだが、第２実施形態では、更に、ボックスへアクセスする際の手順（ユーザ認証手順等）や、ボックス内容の提示形態等、より詳細な情報を埋め込むことを可能にする。なお、画像形成装置等の構成は第１実施形態（図１、図３、図４）と同様であるため、説明を省略する。
【００４６】
図１２は、第２実施形態による、コントローラユニット１００内にある情報付加機能の構成を示すブロック図である。プリンタ画像処理部１９０及びボックスアクセス情報生成部２２は第１実施形態（図２）と同様である。関連付け情報設定部１２０１は、元原稿に関連する原稿を関連付ける際のボックスへのアクセス手順や、ボックス内の原稿を取得する際の手順や、ボックス内の原稿の表示形態の設定を行う機能を有する。情報付加部２３’は、プリンタ画像処理部１９０からの画像情報に、ボックスアクセス情報生成部２２からのボックスアクセス情報と、関連付け情報設定部１２０１からの情報を付加する。
【００４７】
図１３は、第２実施形態によるボックス関連付け画面の例を示す図である。画面１３００により、ボックスに関連付けた原稿に対して処理のフローを設定することができる。ＯＮ／ＯＦＦキー６０１、ＯＫキー６０２、キャンセルキー６０３は第１実施形態（図６）と同様である。ボックスフロー設定キー１３０１が押下されると、コントローラ１００は、図１４に示すボックスフロー設定メニュー画面１４００に表示を遷移させる。尚、ボックスフローとは、認証処理等を含むボックスへのアクセスの手順や、ボックス内に格納されている文書を画面に表示する際の表示形態の選択等を含むものである。
【００４８】
図１４はボックスフロー設定メニュー画面の表示例を示す図である。ボックスフロー設定メニュー画面１４００において、ユーザは、関連付けた原稿を読み込む際の手順を設定するための画面への遷移、関連付けた原稿の表示形態を設定するための画面への遷移のいずれかを選択できる。読み込み時手順設定キー１４０１が押下されると、コントローラ１００は、関連付けられた原稿を読み込む際の手順をカスタマイズするための読み込み時用メニュー画面１５００に表示を遷移させる。表示形態設定キー１４０２が押下されると、コントローラ１００は、関連付けた原稿の表示形式を選択するための表示形式選択画面１８００に表示を遷移させる。バックキー１４０３が押下されると、コントローラ１００は、ボックス関連付け画面１３００に画面を戻す。
【００４９】
図１５は読み込み時手順設定画面の一例を示す図である。読み込み時手順設定画面１５００は、関連する原稿の読み込み時にどのような手順とするか（本実施形態ではユーザ認証を行うか否か）を決めるメニュー画面である。「設定無し」キー１５０１が押下されると、コントローラ１００は、関連付けする原稿の読み込みに際して特別な手順を設定しない。即ち、第１実施形態のように、ユーザ認証等を行わずに関連付ける原稿等の取り込み等が行われる。パスワード保護キー１５０２を押下すると、パスワードで保護する設定を行うためのパスワード設定画面１６００に遷移する。
【００５０】
図１６はパスワード設定画面の一例を示す図である。パスワード設定画面１６００では、原稿の関連付け操作にパスワード認証を含ませたい場合に、使用すべきパスワードの設定を受け付ける。本例では、旧パスワードを新しいパスワードに変更する場合を示しているが、新規のパスワードを設定するようにしてもよい。旧パスワード入力フィールド１６０１には、ユーザの古いパスワードを入力させる。新パスワード入力フィールド１６０２には、ユーザの新しいパスワードを入力させる。新パスワード再入力フィールド１６０３には再確認のためにユーザの新しいパスワードをもう一度を入力させる。キャンセルキー１６０４が押下されると、本画面での操作をキャンセルし、読み込み時用メニュー画面１５００に戻る。バックキー１６０５が押下されると、本画面から、読み込み時用メニュー画面１５００に戻る。ＮＥＸＴキー１６０６が押下されると、旧パスワード入力フィールド１６０１に入力された古いパスワードを認証し、新パスワード入力フィールド１６０２に入力された文字列と新パスワード再入力フィールド１６０３に入力された文字列を照合する。そして、次の画面である読み込み時設定画面１７００に遷移する。
【００５１】
図１７は認証手順設定画面の一例を示す図である。認証手順設定画面１７００は、どの処理フローでパスワードを設定させるかを決めるための画面である。関連原稿読み込み時のＯＮ／ＯＦＦキー１７０１をＯＮにすると、関連原稿の読み込み時にパスワードの入力を求める設定を行う。関連原稿読み込み時設定キー１７０１をＯＦＦにすると、関連原稿の読み込み時におけるパスワードの入力は不要となる。元原稿読み込み時のＯＮ／ＯＦＦキー１７０２をＯＮにすると、元原稿の読み込み時におけるパスワードの入力は不要となる。キャンセルキー１７０３が押下されると、本画面での操作をキャンセルし、読み込み時用メニュー画面１６００に戻る。バックキー１７０４が押下されると、本画面から、パスワード入力画面１６００に戻る。ＯＫキー１６０６が押下されると、画面上の設定を行い、フローカスタマイズ用メニュー画面１４００画面に戻る。
【００５２】
図１８は表示形態選択画面の一例を示す図である。表形式選択画面１８００は、関連する原稿の表示形式を設定するための画面の一例を示している。サムネイルキー１８０１が選択されると、関連原稿の表示をサムネイル形式で行う設定となる。タイトルリストキー１８０２が選択されると。関連原稿の表示をリスト形式で行う設定となる。プレビュースライドショーキー１８０３が選択されると、関連原稿の表示をプレビューのスライドショー形式で行う設定となる。ＯＫキー１８０４が押下されると、サムネイルキー１８０１、タイトルリストキー１８０２、プレビュースライドショーキー１８０３のいずれかの設定を行った後に、フローカスタマイズ用メニュー画面１４００に戻る。
【００５３】
以上説明した画面（ユーザインターフェース）を用いて、ユーザは、元原稿とすべき原稿の読み取りに先立ってボックスフローをカスタマイズすることができる。そして、ＯＮ／ＯＦＦキー６０１をＯＮにして新しいボックスへの関連付けを指定して原稿を読み取ると、図９の処理が実行され、ボックスアクセス情報が埋め込まれた元原稿（図１１の１１０２，１１０２ａ）が得られる。第２実施形態では、このボックスアクセス情報が、ボックスへのアクセスを示す情報に加えて、上述したユーザ認証のタイミング、パスワード、表示形態を指示する情報を含む。
【００５４】
図１９は、読み込まれた元原稿に埋め込まれているボックスアクセス情報に従って、原稿の関連付け等における処理（認証手順、ボックス内文書の表示形態等のボックスフロー）を変更する処理を説明するフローチャートである。
【００５５】
ステップＳ１９０１〜Ｓ１９０４は、図１０のステップＳ１００１〜Ｓ１００４と同様である。
【００５６】
ステップＳ１９０５では、上述した図１３〜図１８のユーザインターフェースにより何らかの手順設定が行われたか否かを判定する。手順設定が行われていなければ、ステップＳ１９０９へ進む。手順設定が行われている場合は、ステップＳ１９０５からステップＳ１９０６へ進み、コントローラ１００は、設定されたアクセスの手順（例えば、設定された認証処理の手順）に従ってボックスへのアクセスを制御する。また、ボックス内の文書の表示形態が設定されていれば、後続のボックス内の文書一覧を表示する処理において指定された表示形態での表示が行われるように設定する。
【００５７】
ステップＳ１９０８では、ステップＳ１９０６で設定された手順に従ってパスワードによる認証を実行し、認証が取れたならばステップＳ１９０９へ進む。尚、ステップＳ１９０８の認証処理は、元原稿読み込み時のＯＮ／ＯＦＦキー１７０２をＯＮとして生成されたボックスアクセス情報が生成された場合に実行される。ステップＳ１９０９では、ステップＳ１９０７で設定された表示形態によりボックス内の文書一覧を表示する。そして、ステップＳ１９１０において、プリントキー８０１或はスキャンキー８０２の押下に応じて、選択された文書の出力や、関連付けるべき原稿の読み込みが行われることになる。尚、ステップＳ１９１０の処理は図１０のステップＳ１００６〜Ｓ１００８と同様である。
【００５８】
図２０はパスワード入力画面２１００の画面の一例である。この画面は、関連原稿読み込み時のＯＮ／ＯＦＦキー１７０１及び／又は元原稿読み込み時のＯＮ／ＯＦＦキー１７０２をＯＮに設定した場合に表示される、ユーザにパスワードの入力を促す画面の一例である。関連原稿読み込み時のＯＮ／ＯＦＦキー１７０１をＯＮとして生成されたボックスアクセス情報が生成された場合は、ステップＳ１９１０においてスキャンキー８０２が押された際に、このパスワード入力画面２１００が提示される。また、元原稿読み込み時のＯＮ／ＯＦＦキー１７０２をＯＮとして生成されたボックスアクセス情報が生成された場合は、当該原稿を読み取った後にパスワード入力画面２１００が提示され、パスワードの入力が促される（ステップＳ１９０８）。
【００５９】
パスワード入力画面２１００において、パスワード入力フィールド２１０１は、ユーザがパスワードを入力するフィールドである。キャンセルキー２１０２が押下されると、本画面から前の画面の操作をキャンセルし、前の画面に戻る。ＯＫキー２１０３が押下されると、パスワード入力フィールド２１０１に入力されたパスワードと、パスワード入力画面１６００で設定されたパスワードとの照合が行われる。
【００６０】
図２１は、ボックス内の文書一覧を表示する画面８００をサムネイル形式で表示した画面２２００である。即ち、図２１は、表示形態設定画面１８００においてサムネイルキー１８０１が選択された状態で生成されたボックスアクセス情報に従って文書一覧を表示した場合の画面表示例を示している。このように、サムネイルキー１８０１が選択されたボックスアクセス情報が埋め込まれた原稿画像を読み取った場合、ボックス内にある文書のサムネイル一覧で表示する画面が示される。この画面２２００は、ボックス内の文書一覧の表示形式がサムネイルであるという点を除いては、画面８００と同様である。
【００６１】
図２２は、第１実施形態と第２実施形態で関連原稿を表示する際の画面フローの対比を説明する図である。画面フロー２０００は、第１実施形態の場合の画面フローで、画面フロー２００１は第２実施形態の設定に従った場合の画面フローである。画面フロー２０００と画面フロー２００１を比較すると、第１実施形態の画面フロー２０００では、ボックスアクセス情報が埋め込まれた元原稿の読み取りに応じて、コントローラ１００はボックス内の文書一覧を表示する画面８００を表示する。対して、第２実施形態の画面フロー２００１では、元原稿読み込み時にパスワードを入力するように設定されている場合には、コントローラ１００は、パスワード入力画面２１００を表示して、ユーザにパスワードの入力を促す。また、関連原稿の表示形式がサムネイルになっている場合は、サムネイル形式でボックス内の文書一覧画面２２００を表示する。
【００６２】
以上のように、第２実施形態では、第１実施形態の機能に加えて、操作をカスタマイズすることができ、システム開発を必要とせず、ユーザが求める処理フローにより柔軟に対応できる。これにより、ユーザの操作性を大幅に向上させることができる。
【００６３】
尚、上記の第２実施形態においては、設定可能なボックスへのアクセス手順としてユーザ認証を例示したが、これに限られるものではない。また、上記実施形態では、画像形成装置１内のＨＤＤ１０４にボックスを配置しているが、ＬＡＮ上に配置された外部装置によって提供される記憶装置内に配置されたボックスを対象としてもよいことはいうまでもない。
【００６４】
以上説明した各実施形態によれば、画像処理装置の中にあるボックスに簡便にアクセスすることが可能となる。このため、容易に所定のボックスに関連する原稿を追加したり、関連する原稿を取得することが可能となる。さらに、第２実施形態では、関連する原稿の追加や取得の際の手順や表示形式を柔軟に変更することができ、ユーザの利便性を向上させることができる。
【００６５】
［他の実施形態］
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００６６】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したプログラムである。
【００６７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６８】
その場合、プログラムの機能を有していれば、オブジェクトコード、インタプリタにより実行されるプログラム、ＯＳに供給するスクリプトデータ等の形態であっても良い。
【００６９】
プログラムを供給するための記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００７０】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７１】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００７２】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００７３】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図面の簡単な説明】
【００７４】
【図１】第１実施形態による画像形成装置の構成を示すブロック図である。
【図２】画像形成装置のコントローラユニット１００において実現される、ボックスアクセス情報の付加機能の構成例を示すブロック図である。
【図３】画像形成装置における操作部の外観構成を示す図である。
【図４】画像形成装置における操作部及び操作部Ｉ／Ｆの構成を示すブロック図である。
【図５】画像形成装置のＬＣＤ画面に表示される送信初期画面の一例を示す図である。
【図６】画像形成装置のＬＣＤ画面に表示されるボックス関連付け画面の一例を示す図である。
【図７】画像形成装置のＬＣＤ画面に表示される元原稿の関連付け完了画面の一例を示す図である。
【図８】画像形成装置のＬＣＤ画面に表示されるボックス内の文書一覧を表示する画面の一例を示す図である。
【図９】元原稿の読み込み時に、情報付加処理と該処理を施した印刷物を出力する処理を説明するフローチャートである
【図１０】元原稿によって特定されるボックスへの関連原稿の追加、及びそのボックスからの関連原稿の取得の処理を示すフローチャートである。
【図１１】元原稿によって特定されるボックスへの関連原稿の追加、及びそのボックスからの関連原稿の取得の処理を説明する図である。
【図１２】第２実施形態のコントローラユニット１００において実現される、ボックスアクセス情報の付加機能の構成例を示すブロック図である。
【図１３】第２実施形態による画像形成装置のＬＣＤ画面に表示されるボックス関連付け画面の一例を示す図である。
【図１４】第２実施形態による画像形成装置のＬＣＤ画面に表示されるフローカスタマイズ用メニュー画面の一例を示す図である。
【図１５】第２実施形態による画像形成装置のＬＣＤ画面に表示される読み込み時用メニュー画面の一例を示す図である。
【図１６】第２実施形態による画像形成装置のＬＣＤ画面にパスワード入力画面の一例を示す図である。
【図１７】第２実施形態による画像形成装置のＬＣＤ画面に表示される読み込み時設定画面の一例を示す図である。
【図１８】第２実施形態による画像形成装置のＬＣＤ画面に表示される表示形式選択画面の一例を示す図である。
【図１９】元原稿に関連付けた原稿に関する処理フローを変更する際のフローチャートである。
【図２０】第２実施形態による画像形成装置のＬＣＤ画面に表示されるパスワード入力画面の一例を示す図である。
【図２１】第２実施形態による画像形成装置のＬＣＤ画面に表示されるボックス内の文書一覧をサムネイル形式で表示する画面の一例を示す図である。
【図２２】第１実施形態と第２実施形態の画面フローを比較した模式図である。
【図１】
0004757061.tif 000002
【図２】
0004757061.tif 000003
【図３】
0004757061.tif 000004
【図４】
0004757061.tif 000005
【図５】
0004757061.tif 000006
【図６】
0004757061.tif 000007
【図７】
0004757061.tif 000008
【図８】
0004757061.tif 000009
【図９】
0004757061.tif 000010
【図１０】
0004757061.tif 000011
【図１１】
0004757061.tif 000012
【図１２】
0004757061.tif 000013
【図１３】
0004757061.tif 000014
【図１４】
0004757061.tif 000015
【図１５】
0004757061.tif 000016
【図１６】
0004757061.tif 000017
【図１７】
0004757061.tif 000018
【図１８】
0004757061.tif 000019
【図１９】
0004757061.tif 000020
【図２０】
0004757061.tif 000021
【図２１】
0004757061.tif 000022
【図２２】
0004757061.tif 000023